(57)【要約】【課題】物品に付着する雑菌を死滅させ、これにより衛生上好ましく重大事故につながる可能性を可及的に低下させる殺菌装置を提供する。【解決手段】殺菌装置１は、殺菌灯２の上方及び側方を覆うカバー３と、カバー３内に物品２１を配置する配置手段８と、物品２１の下方に配設され、かつカバー３の下部に着脱自在に装着されるバケット１５であって、該装着された場合にカバー３とともに殺菌灯２及び物品３を覆うとともに物品２１から落下する液体を受け入れ、離脱された場合に前記液体を外部へ排出するバケットとを具え、カバー３は、その内側表面に複数の溝を具えたアクリル板によって形成され、これにより殺菌灯２から放射される光は前記各溝を照射してカバー３及びバケット１５内に乱反射して物品２１を照射する。【選択図】図１ 
0003109968.tif 000002
【実用新案登録請求の範囲】
【請求項１】
殺菌灯を具え、該殺菌灯から放射する光によって内部に収容した物品を殺菌する殺菌装置において、
前記殺菌灯の上方及び側方を覆うカバーと、
該カバー内に前記物品を配置する配置手段と、
前記物品の下方に配設され、かつ前記カバーの下部に着脱自在に装着されるバケットであって、前記カバーの下部に装着された場合に前記カバーとともに前記殺菌灯及び前記物品を覆うとともに前記物品から落下する液体を受け入れ、前記カバーの下部から離脱された場合に前記液体を外部へ排出するバケット
とを具え、
前記カバーは、その内側表面に複数の溝を具えたアクリル板によって形成され、これにより前記殺菌灯から放射される光は前記各溝を照射して前記カバー及び前記バケット内に乱反射し、該乱反射した光が前記物品を照射するようにしたことを特徴とする殺菌装置。
【請求項２】
前記バケットは、その内側表面に複数の溝を具えたアクリル板によって形成され、これにより前記殺菌灯から放射される光は前記カバーの各溝と前記バケットの各溝とに照射して前記カバー及び前記バケット内に乱反射し、該乱反射した光が前記物品を照射するようにしたことを特徴とする請求項（１）記載の殺菌装置。
【考案の詳細な説明】
【技術分野】
【０００１】
本考案は、物品に付着する雑菌を死滅させる殺菌装置に関する。
【背景技術】
【０００２】
一般的に、コースターや食器等の物品の表面には、それが外気に触れたり、直接的に又は間接的に手や口と接触したりすることによって、雑菌が付着しやすい。
【考案の開示】
【考案が解決しようとする課題】
【０００３】
上述したように、コースターや食器等の物品の表面には、それが外気に触れたり、直接的に又は間接的に手や口と接触したりすることによって、雑菌が付着しやすい。
【０００４】
このように雑菌が付着しやすいと、衛生上、好ましくなく、重大事故につながる可能性があるという問題があった。  
上述した事情に鑑み、本考案は、物品に付着する雑菌を死滅させ、これにより衛生上好ましく重大事故につながる可能性を可及的に低下させる殺菌装置を提供することを目的とする。
【課題を解決するための手段】
【０００５】
上述した課題を解決するため、本考案の殺菌装置は、殺菌灯を具え、該殺菌灯から放射する光によって内部に収容した物品を殺菌する殺菌装置において、前記殺菌灯の上方及び側方を覆うカバーと、該カバー内に前記物品を配置する配置手段と、前記物品の下方に配設され、かつ前記カバーの下部に着脱自在に装着されるバケットであって、前記カバーの下部に装着された場合に前記カバーとともに前記殺菌灯及び前記物品を覆うとともに前記物品から落下する液体を受け入れ、前記カバーの下部から離脱された場合に前記液体を外部へ排出するバケットとを具え、前記カバーは、その内側表面に複数の溝を具えたアクリル板によって形成され、これにより前記殺菌灯から放射される光は前記各溝を照射して前記カバー及び前記バケット内に乱反射し、該乱反射した光が前記物品を照射するようにしている。
【考案の効果】
【０００６】
本考案の殺菌装置は、殺菌灯の上方及び側方を覆うカバーと、該カバー内に物品を配置する配置手段と、該物品の下方に配設され、かつカバーの下部に着脱自在に装着されるバケットであって、カバーの下部に装着された場合にカバーとともに殺菌灯及び物品を覆うとともに物品から落下する液体を受け入れ、カバーの下部から離脱された場合に液体を外部へ排出するバケットとを具え、カバーは、その内側表面に複数の溝を具えたアクリル板によって形成され、これにより殺菌灯から放射される光は前記各溝を照射してカバー及びバケット内に乱反射し、該乱反射した光が前記物品を照射するようにしたから、殺菌灯から放射された光が殺菌装置の外部に漏れることは防止されて物品に付着している雑菌をむらなく死滅させることができ、しかも殺菌灯から放射された光はカバーの前記各溝によりカバー及びバケット内に乱反射して物品を照射するから該物品は一層可及的に均一に照射され、これにより前記雑菌を一層むらなく死滅させることができる。
【考案を実施するための最良の形態】
【０００７】
本考案の殺菌装置について、以下の実施例で詳述する。  
図１は、本考案の実施例の殺菌装置の概念斜視図であり、特に該殺菌装置の内部に物品を収容している様子を示す図である。また図２は、図１の殺菌装置の概念正面図である。  
なお、図２乃至後述する図４では、図１と同一部分を同一符号で示している。また、図１乃至図４では、殺菌装置のカバー及びバケットを形成しているアクリル板が、透明のアクリル板であるものとして図示している。
【０００８】
図１及び図２で示すように、本考案の実施例の殺菌装置１は、殺菌灯２と、殺菌灯２の上方及び側方を覆うカバー３と、該カバー３内に物品２１を配置する配置手段８と、物品２１の下方に配設されるバケット１５とを具えている。
【０００９】
このうち、殺菌灯２は、紫外線を発光するＵＶランプ、例えば水銀ランプ等から構成されている。
【００１０】
また、殺菌灯２は、カバー３の内側上壁に、板状部材４を介して配設されており、また殺菌灯２はカバー３の下方へ向けて配置されている。
【００１１】
また、カバー３はアクリル板によって形成されており、カバー３の内側表面、ここでは四側面と上面の各内側表面に、それぞれ複数の溝（図示しない）が形成されている。  
また図３で示すように、カバー３は、物品２１をカバー３内に収容させる入口５と、該入口５を開閉自在に覆う蓋体３ａを具えている。  
なお、上記した図３は図１及び図２の殺菌装置の概念側面図であって、特に、蓋体の開閉の動作及びバケットの着脱動作を示す図である。
【００１２】
また図２で示すように、配置手段８は、カバー３の側壁に水平に差し渡された軸９と、軸９に係合自在な鉤１０とを具えている。
【００１３】
また図３で示すように、バケット１５はカバー３の下部に着脱自在に装着される。  
なお、上記図３の符号７は、カバー３の下方に配設され、バケット１５がカバー３に装着された際、該バケット１５を支承する支承部材である。  
また、バケット１５は、アクリル板によって形成されており、その内側表面、ここでは四側面と底面の各内側表面にはそれぞれ複数の溝（図示しない）が形成されている。
【００１４】
また、カバー３に形成された上記複数の溝と、バケット１５に形成された上記複数の溝は、いずれも、カバー３の上記内側表面、バケット１５の上記内側表面に、それぞれいわゆるダイヤモンドカットあるいはいわゆる六角カットを施すことによって形成されたものである。
【００１５】
次に、この殺菌装置１によって物品２１を殺菌する手順について説明するとともに、該殺菌装置１の詳細な構造を併せて説明する。
【００１６】
図４は、図１の殺菌装置の概念正面図であり、特に該殺菌装置の内部に物品を収容する前（初期状態）の様子を示す図である。  
まず図４で示す初期状態では、カバー３の蓋３ａは入口５（図３）を閉塞している。またバケット１５はカバー３の下部に装着されており、これにより殺菌灯２及び配置手段８の各下方がバケット１５により覆われている。また、殺菌灯２及び配置手段８の各上方及び各側方はカバー３により覆われている。  
また、配置手段８の軸９には予め鉤１０の一端を係合させておく。
【００１７】
次に、図３の矢印Ａで示すように蓋体３ａを開ける。すると、カバー３に形成された入口５が開放されるので、この入口５を利用して、物品２１（図１）をカバー３内に収容する。  
また、物品２１をカバー３内に収容する場合に、物品２１に配設された係合リング２２（図２）を鉤１０の他端に係合させるようにする。すると、図２及び図１で示すように、物品２１を軸９に吊り下げてカバー３内に配置することができる。  
なお、上記図１及び図２では軸９の両端に、物品２１がそれぞれ吊り下げられ配置された様子を図示しているが、この軸９には、この二つの物品２１に限らず、一個、あるいは三個以上の物品２１を吊り下げることもできる。  
なお、図１では、物品２１に固定されている係合リング２２（図２）の図示を省略している。
【００１８】
次に、図３の蓋体３ａを閉める。すると、図１で示すように、入口５が蓋体３ａによって覆われ、これにより、殺菌灯２及び物品２１の各上方及び各側方がカバー３によって覆われる。またカバー３の下部にはバケット１５が装着されているので、殺菌灯２及び物品２１の各下方はバケット１５により覆われる。  
したがって、物品２１及び殺菌灯２は、その周囲をカバー３及びバケット１５によって覆われる。
【００１９】
次に、殺菌灯２を点灯させる。  
すると、殺菌灯２から放射された光（紫外線）は殺菌装置１内に放射され、これにより直接物品２１を照射し、あるいはカバー３又はバケット１５を照射することによって間接的に物品２１を照射するので、物品２１に付着している雑菌は死滅する。
【００２０】
またカバー３はアクリル板によって形成されているから、殺菌灯２から放射された光は、カバー３がアクリル板でないものによって形成されている場合に比し、カバー３に鋭角に照射されるので、これにより該光が殺菌装置１の外部に漏れることは可及的に防止される。  
したがって、このようにカバー３がアクリル板によって形成されている殺菌装置１によると、カバー３をアクリル板でないものによって形成した場合に比し、より多くの殺菌灯２からの光が物品２１に照射され、そのため該光によって、物品２１に付着している雑菌をむらなく死滅させることができる。
【００２１】
なおこのアクリル板による殺菌効果は、カバー３を構成している四側面及び上面のうち少なくとも一面がアクリル板によって形成されていれば達成されるものであるが、この実施例の殺菌装置１のように、カバー３の四側面及び上面が全てアクリル板によって形成されていれば、殺菌効果は一層高いものとなる。  
さらにこの滅菌装置１では、バケット１５をアクリル板によって形成している。そのため、殺菌灯２から放射された光は、バケット１５をアクリル板でないものによって形成した場合に比し、バケット１５に鋭角に照射されるので、これにより該光が殺菌装置１の外部に漏れることは、一層可及的に防止される。  
したがって、このようにバケット１５がアクリル板によって形成されている殺菌装置１によると、バケット１５をアクリル板でないものによって形成した場合に比し、より多くの殺菌灯２からの光が物品２１に照射され、そのため該光によって、物品２１に付着している雑菌を、一層むらなく死滅させることができる。
【００２２】
なお上述したバケット１５のアクリル板による殺菌効果は、バケット１５を構成している四側面及び底面のうち、少なくとも一面がアクリル板によって形成されていれば達成されるものであるが、この実施例の殺菌装置１のようにバケット１５の四側面及び底面が全てアクリル板によって形成されていれば、殺菌効果は一層高いものとなる。
【００２３】
また、この滅菌装置１のカバー３には、その各内側表面に複数の溝が形成されている。そのため、殺菌灯２から放射された光は、該カバー３の上記各溝を照射してカバー３及びバケット１５内に乱反射し、該乱反射した光が物品２１を照射する。したがって、カバー３の各内側表面に複数の溝が形成されている殺菌装置１によると、カバー３に上記各溝を形成していない場合に比し、殺菌灯２から放射する光が可及的に均一に物品２１に照射されることとなって、これにより物品２１に付着している雑菌を一層むらなく死滅させることができる。  
なお、上述したカバー３の上記各溝を介して生じる乱反射の殺菌効果は、カバー３を構成している四側面及び上面のうち少なくとも一つの面の内側表面に複数の溝が形成されていれば達成されるものであるが、この実施例の殺菌装置１のように、カバー３の四側面及び上面の各内側表面にそれぞれ複数の溝が形成されていれば、その殺菌効果は一層高いものとなる。
【００２４】
さらに、この滅菌装置１では、バケット１５にその各内側表面に複数の溝が形成されている。そのため、殺菌灯２から放射された光は、バケット１５の上記各溝を照射してカバー３及びバケット１５内に乱反射し、該乱反射した光が物品２１を照射する。したがって、バケット１５の各内側表面に複数の溝が形成された滅菌装置１によると、バケット１５に上記各溝を形成していないものに比し、より多くの殺菌灯２からの光がカバー３及びバケット１５内に乱反射することとなって、当該光が可及的に均一に物品２１に照射され、これにより物品２１に付着している雑菌を、さらに一層むらなく死滅させることができる。
【００２５】
なお、上述したバケット１５の上記各溝を介して生じる乱反射の殺菌効果は、バケット１５を構成している四側面及び底面のうち少なくとも一つの面の内側表面に複数の溝が形成されていれば達成されるものであるが、この実施例の殺菌装置１のように、バケット１５の四側面及び底面の各内側表面にそれぞれ複数の溝が形成されていれば、その殺菌効果は一層高いものとなる。
【００２６】
また、上述のように殺菌装置１の内部に設置され収容される物品２１は、通常、水等の液体により洗浄した物品である。そのため、殺菌装置１内に配置した物品２１に液体が付着していることがあるが、該物品２１を配置手段８により配置した際、物品２１の下方にはバケット１５が配置されているので、該液体は落下した場合、バケット１５に受け入れられる。
【００２７】
また、図３の矢印Ｂで示す方向にバケット１５を引き出し、これによりバケット１５をカバー３の下方から離脱すれば、バケット１５内の液体を、殺菌装置１の外部へ排出することができる。
【００２８】
以上で説明したように、本考案の実施例の殺菌装置１は、殺菌灯２を具え、該殺菌灯２から放射する光によって内部に収容した物品２１を殺菌する殺菌装置において、殺菌灯２の上方及び側方を覆うカバー３と、該カバー３内に物品２１を配置する配置手段８と、物品２１の下方に配設され、かつカバー３の下部に着脱自在に装着されるバケット１５であって、カバー３の下部に装着された場合にカバー３とともに殺菌灯２及び物品２１を覆うとともに物品２１から落下する液体を受け入れ、カバー３の下部から離脱された場合に前記液体を外部へ排出するバケット１５とを具え、カバー３は、その内側表面に複数の溝を具えたアクリル板によって形成され、これにより殺菌灯２から放射される光は前記各溝を照射してカバー３及びバケット１５内に乱反射し、該乱反射した光が物品２１を照射するようにしているから、殺菌灯２から放射された光が殺菌装置１の外部に漏れることは防止されて物品２１に付着した雑菌をむらなく死滅させることができ、しかも殺菌灯２から放射された光はカバー３の上記各溝によりカバー３及びバケット１５内に乱反射して物品２１を照射するから該物品２１は一層可及的に均一に照射され、これにより上記雑菌を一層むらなく死滅させることができる。  
すなわち、この殺菌装置１では、カバー３をアクリル板によって形成することにより、あるいは、それに加えてさらに該カバー３の各内側表面に前記複数の溝を形成することにより、従来から生じていた雑菌死滅能力の低下の問題、すなわち物品２１に殺菌灯２から放射する光があたらない影の部分ができて物品２１の雑菌死滅能力（殺菌能力）が低下するという問題を可及的に解決することができる。
【００２９】
したがって、この発明の殺菌装置１によると、物品２１に付着する雑菌を死滅させ、これにより衛生上好ましく重大事故につながる可能性を可及的に低下させることができる。
【００３０】
さらに、この実施例の殺菌装置１では、バケット１５が、その内側表面に複数の溝を具えたアクリル板によって形成されているから、該アクリル板によって形成されていない場合に比べ、より多くの殺菌灯２からの光が物品２１に照射され、これにより物品２１に付着している雑菌を一層むらなく死滅させることができ、しかも殺菌灯２から放射された光は、バケット１５の上記各溝によりカバー３及びバケット１５内に乱反射して物品２１を照射するから、より多くの殺菌灯２からの光がカバー３及びバケット内に乱反射することとなって、当該光がさらに可及的に均一に物品２１に照射され、これにより物品２１に付着している雑菌をさらに一層むらなく死滅させることができる。  
したがって、バケット１５がその内側表面に複数の溝を具えたアクリル板によって形成されている殺菌装置１によると、バケット１５がアクリル板によって形成されておらずバケット１５の各内側表面に複数の溝が形成されていない殺菌装置に比し、物品２１に付着する雑菌を一層死滅させ、これにより衛生上好ましく重大事故につながる可能性を更に可及的に低下させることができる。
【００３１】
なお、この滅菌装置１では、カバー３が、前記物品２１を前記カバー３内に収容させる入口５と、該入口５を開閉自在に覆う蓋体３ａを具えているから、物品２１をカバー３内に収容して設置する作業が簡単である。
【００３２】
なお、上記した実施例の殺菌装置１では、図１及び図２で示すように、殺菌する物品２１が、二層構造のコースター（図示しない）のコップ載置板である場合を例示して図示している。  
二層構造のコースターは、通常、上記コップ載置板２１と、凹部が形成された台（図示しない）とを具え、コップ載置板２１にはコップが直接載置される。またこのコップ載置板２１は、合板、コルク、和紙、竹、レース等、コップ（図示しない）の結露を吸収する材質によって形成されており、該コップ載置板２１がコップ表面に生じた結露を吸収する構造であるが、載置されるコップには、直接手が触れられたり、口を付けられたりするからコップには雑菌が付着しやすく、この雑菌が、コップの結露と混ざって、コップ載置板２１自体に吸収されて残留することがある。  
また、上述したようにコップに付着した雑菌が結露と混ざってコップ載置板２１に吸収されると、コップ載置板２１自体に既に発生又は残留した雑菌を、さらに増殖させることにもなる。  
なお、コップ載置板自体に発生し、または残留する雑菌としては、例えば、黒カビや赤カビ等の胞芽菌（胞芽を形成する菌）、大腸菌、空中落下菌、大腸菌がある。  
このようなコップ載置板２１は、上記した殺菌装置１内に収容して上記した手順を行うと、コップ載置板２１に発生又は残留した雑菌の除去及び雑菌の増殖の抑制を図ることができ、しかもコップ載置板２１を水洗いした後に該コップ載置板２１に付着する水も、バケット１５を介して外部に排出することができる。
【００３３】
なお、上述した実施例の殺菌装置１では、物品２１を、二層構造のコースターのコップ載置板からなることとしたが、この殺菌装置１で殺菌される物品２１は、該コップ載置板に限らず、例えば、単層構造のコースターや、カップ等の食器であってもよいことはもちろんである。
【００３４】
なお、図１乃至図４の符号１１は蓋体３ａを開閉しやすくする取っ手であり、符号１６はバケット１５をカバー３に着脱しやすくする取っ手である。  
なお、この実施例の殺菌装置１では、カバー３及びバケット１５は透明のアクリル板によって形成されているものとして説明したが、該アクリル板は透明色のものに限定されず、例えば乳半色のアクリル板等であってもよいことはもちろんである。
【図面の簡単な説明】
【００３５】
【図１】図1は、本考案の実施例の殺菌装置の概念斜視図であり、特に該殺菌装置の内部に物品を収容している様子を示す図である。
【図２】図２は、図１の殺菌装置の概念正面図である。
【図３】図３は図１及び図２の殺菌装置の概念側面図であって、特に、蓋体の開閉の動作及びバケットの着脱動作を示す図である。
【図４】図４は、図１の殺菌装置の概念正面図であり、特に該殺菌装置の内部に物品を収容する前（初期状態）の様子を示す図である。
【符号の説明】
【００３６】
１…殺菌装置
２…殺菌灯
３…カバー
８…配置手段
１５…バケット
２１…物品
【図１】
0003109968.tif 000003
【図２】
0003109968.tif 000004
【図３】
0003109968.tif 000005
【図４】
0003109968.tif 000006